(57)【特許請求の範囲】
【請求項１】
公衆網に接続される複数の端末及び中継装置と、前記中継装置に接続されるゲートウェイ装置と、前記ゲートウェイ装置に接続されるホストコンピュータとを有するデータ処理システムであって、
前記中継装置は、該複数の端末と該ホストコンピュータとの間で送受されるデータを中継し、
前記ゲートウェイは、該中継装置と該ホストコンピュータとの間でデータ転送を行い、
前記中継装置は、
前記複数の端末とデータの送受を行い、送受されるデータを該端末で扱うデータ形式又は前記ホストコンピュータで扱うデータ形式に変換する複数のエンドノードと、
前記複数のエンドノードから送信されたデータを前記ゲートウェイに送信し、該ゲートウエイから送信されたデータを前記複数のエンドノードから選択した何れかのエンドノードに送信するフロントノードとを備え、
前記ゲートウェイは、データ蓄積部を有し、前記フロントノードから送信されたデータを前記ホストコンピュータへ転送するときに、転送するデータが照会情報であるか画像情報であるかに応じて、一旦蓄積した後一括転送するか、直接転送するかを判定する
ことを特徴とするデータ処理システム。
【発明の詳細な説明】
【０００１】
【産業上の利用分野】
本発明は、データ処理システム及びネットワークサービスシステムに係り、特に、公衆網に接続されたファクシミリ装置とネットワーク上のユーザホストの間で、ファクシミリ装置がノードシステムを介してデータをユーザホストに送信または受信するデータ処理システム及びネットワークサービスシステムに関する。
【０００２】
【従来の技術】
図１１は、従来のシステムの構成を示す。同図に示すシステムは、公衆網２００に接続される複数のファクシミリ端末１００1 〜１００n と、公衆網２００に接続され、ファクシミリ端末１００のアクセスポイント毎に設けられるノードシステム３００1 〜３００m 、ネットワークを監視するネットワーク制御部５００、データの編集を行うゲートウェイ４００及びゲートウェイ４００から転送されたデータの処理を行うユーザホストコンピュータ６００より構成される。
【０００３】
ファクシミリ端末１００が公衆網２００を介してアクセスポイントのノードシステム３００にアクセスする。アクセスされたノードシステム３００は、ファクシミリ通信の入出力制御を行い、ネットワーク制御部５００にファクシミリ装置１００から送信されたデータを送信する。ネットワーク制御部５００は、送信されたデータの経路制御を行い、データをゲートウェイ４００に転送する。ゲートウェイ４００は、複数のユーザから送信されたデータをユーザホスト６００が扱うことができる所定のデータ形式に変換する等のデータの編集を行う。
【０００４】
図１２は、従来のゲートウェイの構成を示す。この従来のシステムでは、あるファクシミリ装置１００よりノードシステム３００及びネットワーク制御部５００を介してデータを受信すると、ノード毎の１つの通信が終了するまで、受信したデータをゲートウェイ４００内のバッファ４１０に蓄積しておき、ゲートウェイ４００は、受信した順にバッファ４１０からデータを読み出してデータ変換処理を行い、処理して、ユーザホストコンピュータ６００に送信する。
【０００５】
上記の処理において、ゲートウェイ４００は受信する形式に合わせて変換テーブル４３０を有し、データ変換部４２０は、バッファ４１０から転送され、蓄積されているデータを読み出し、変換テーブル４３０を参照して、所定のデータ形式に変換する処理を行う。このように、ゲートウェイ４００はファクシミリ装置１００からのファクシミリデータのデータ形式をユーザホストが扱える形式に変換し、所定の通信フォーマットでユーザホスト６００に送信する。
【０００６】
【発明が解決しようとする課題】
しかしながら、上記従来のシステムでは、ファクシミリ通信（ＣＣＩＴＴ、Ｇ３／４）のようにプロトコル／データ変換／通信制御等を１通信毎にゲートウェイで行うため、実時間で処理を行うことが困難であり、特にトラヒック数が多い場合には、ユーザホストで実行される処理の待ち時間が増加するという問題がある。
【０００７】
本発明は、上記の点に鑑みなされたもので、従来の問題点を解決し、ホストコンピュータは、接続されるファクシミリを意識することなく同時に多数のファクシミリと通信することが可能なデータ処理システム及びネットワークサービスシステムを提供することを目的とする。
【０００８】
さらに、本発明の目的は、ホストコンピュータとファクシミリ間のデータ形式／フォーマット／通信手順を限定することなく、接続相手に適した形態で利用できるデータ処理システム及びネットワークサービスシステムを提供することである。
【０００９】
さらに、本発明の目的は、広域ネットワークにおいて、各アクセスポイントに処理を分散することにより、ファクシミリ通信において扱われる大量データを短時間で処理することが可能なデータ処理システム及びネットワークサービスシステムを提供することである。
【００１０】
【課題を解決するための手段】
本発明のデータ処理システムは、公衆網に接続される複数の端末及び中継装置と、前記中継装置に接続されるゲートウェイ装置と、前記ゲートウェイ装置に接続されるホストコンピュータとを有するデータ処理システムであって、前記中継装置は、該複数の端末と該ホストコンピュータとの間で送受されるデータを中継し、前記ゲートウェイは、該中継装置と該ホストコンピュータとの間でデータ転送を行い、前記中継装置は、前記複数の端末とデータの送受を行い、送受されるデータを該端末で扱うデータ形式又は前記ホストコンピュータで扱うデータ形式に変換する複数のエンドノードと、前記複数のエンドノードから送信されたデータを前記ゲートウェイに送信し、該ゲートウエイから送信されたデータを前記複数のエンドノードから選択した何れかのエンドノードに送信するフロントノードとを備え、前記ゲートウェイは、データ蓄積部を有し、前記フロントノードから送信されたデータを前記ホストコンピュータへ転送するときに、転送するデータが照会情報であるか画像情報であるかに応じて、一旦蓄積した後一括転送するか、直接転送するかを判定することを特徴とする。
【００１２】
【作用】
本発明は、ファクシミリ装置からユーザホストに対してデータ送信を行う場合に、ファクシミリ装置は、複数のエンドノードより最寄りのアクセスポイントであるエンドノードに（中継処理装置）アクセスし、アクセスされた当該エンドノードで送信データをユーザが扱うことができるデータ形式に変換することにより、ゲートウェイにおいて、変換処理を行わないため、処理が分散されると共に、ゲートウェイでは、データ形式を関知することなしに、ユーザホストに送信できるため、送信時間が短縮される。
【００１３】
また、ユーザホスト側で生成したデータをゲートウェイ、フロントノードを介して送信されたデータを、選択されたエンドノードにおいて、ファクシミリ装置で扱うデータ形式（画像データ等）に変換することにより、ゲートウェイでデータ変換処理を行わないため、１つの送信先に関するデータ変換処理によりゲートウェイを占有することなく、送信先にファクシミリ装置に接続されるエンドノードで変換処理することにより処理が分散されることになる。
【００１４】
また、ゲートウェイでは、送信元のファクシミリ装置から送信されたデータが照会情報のように短い場合には、ファイルに蓄積せずにユーザホストにリアルに送信し、また、一連の画像データのように、大量となるデータの場合には、ファイルに一旦蓄積し、全データの入力が終了した段階でユーザホストに送信することにより、送信時間が短縮される。
【００１５】
【実施例】
以下、図面と共に、本発明の実施例を詳細に説明する。
【００１６】
図１は、本発明の一実施例のシステム構成を示す。同図に示すシステムは、複数のファクシミリ装置１００が公衆網２００に接続され、さらに、公衆網２００には、フロントノード３０Ｆ，３１Ｆ，３２Ｆ、フロントノードに接続されている複数のエンドノードが接続されている。同図の例では、フロントノード３０Ｆには、エンドノード４０Ｅ−１，４０Ｅ−２，４０Ｅ−ｎが接続され、フロントノード３１Ｆには、エンドノード４１Ｅ−１，４１Ｅ−２，４１Ｅ−ｎが接続され、フロントノード３２Ｆには、エンドノード３２Ｅ−ｎが接続されている。各フロントノード３０Ｆ，３１Ｆ，３２Ｆはゲートウェイ２０に接続されている。図１において、ゲートウェイ２０は、ＦＮＡ，ＢＳＣ，ＪＣＡ，ＭＨＳ，ＬＡＮ等の通信手順をファクシミリネットプロトコルに変換するためのネットワークゲートウェイである。フロントノード３０は、ネットワーク構成上の下位レベルで、伝送経路上のデータの制御を行うシステムであり、エンドノード４０、４１、４２は、ネットワーク構成上の上位レベルで動作するノードである。
【００１７】
図２は、本発明の一実施例のファクシミリ装置からユーザホストにデータ送信を行う動作の概要を示すシーケンスチャートである。
【００１８】
同図において、ユーザがファクシミリ装置１００よりデータ送信する場合には、例えば、公衆網２００を介して最寄りのアクセスポイントであるエンドノード４０Ｅ−１を選択し、使用可能なポートを確保する。このとき、最寄りのアクセスポイントであるエンドノード４０Ｅ−１がビジーである場合には、次に最寄りのアクセスポイント、例えば、４０Ｅ−２をアクセスする（ステップ１０１）。ここで、接続相手であるエンドノードが決定すると、エンドノード４０Ｅ−１は、ユーザホスト１０に送信するためにファクシミリ措置１００1 から送信された画像データと送信依頼情報からフレームデータを作成する。このとき、エンドノード４０Ｅ−１は、ユーザホスト１０が受け取ることができる形式にデータを変換する。図３は、本発明の一実施例の送信データの構成図である。同図に示すデータは、ファクシミリ装置１００から入力されるデータであり、送信依頼情報９０と画像データから構成される。送信依頼情報９０は、送信先のファクシミリの番号である宛先識別番号９１、送信元のファクシミリ装置の番号である送信元識別番号９２、送信結果の返答を必要とするか否かの情報である返信有無情報９３より構成される（ステップ１０２）。エンドノード４０Ｅ−ｎで編集されたデータはフロントノード３０Ｆを介して、ゲートウェイ２０に入力され（ステップ１０３）、ゲートウェイ２０を介してリアルにユーザホスト１０に入力される（ステップ１０４）。
【００１９】
なお、上記の処理においてファクシミリ装置１００1 からは画像データを送信するばかりでなく、照会処理のように、ＰＢ信号／音声情報または、ＯＣＲ情報によるデータ送信も含まれる。この場合には、上記のステップ１０２において同様にユーザホスト１０が扱うことが可能となるデータ形式に変換される。
【００２０】
図４は、本発明の一実施例のユーザホストから接続先のファクシミリ装置へデータ送信を行う動作の概要を示すシーケンスチャートである。
【００２１】
ユーザホスト１０は、送信元のファクシミリ装置１００1 からの送信依頼情報に基づいてネットワーク内のノードやファクシミリ装置間を所定の通信手順で接続し、送信先ファクシミリ装置宛のデータ送信依頼を行い、ネットワーク上に送信するフレームデータを生成し（ステップ２０１）、通信可能なフロントノード３０Ｆ、エンドノード４０Ｅ−３に対してデータ送信を行う（ステップ２０２）。エンドノード４０Ｅ−３は、ユーザホスト１０から送信されたデータをファクシミリ通信を行うためのデータ形式に変換し（ステップ２０３）、送信依頼情報の宛先識別番号９１で指定されているファクシミリ装置にデータ送信する（ステップ２０４）。
【００２２】
このように、本発明は、接続先のアクセスポイントであるエンドノードにおいて、送信データを受信する先で使用できるデータ形式に種々変換等を行い、指定されたファクシミリ装置と接続し、データ送信を行う。
【００２３】
例えば、図１において、ファクシミリ装置１００1 が最寄りのアクセスポイントとして、公衆網２００を介してエンドノード４０Ｅ−１をアクセスする。ここで、接続相手先がファクシミリ装置１００3 である場合に、接続相手先のアクセスポイントがエンドノード４０Ｅ−３であるとする。ここで、ファクシミリ装置１００1 は、ユーザホスト１０に、接続依頼情報により接続相手先のファクシミリ装置１００3 へのデータ送信を依頼する。
【００２４】
ユーザホスト１０は、送信元のファクシミリ装置１００1 からの接続依頼情報をゲートウェイ２０に転送し、接続依頼情報に応じて接続相手先の地域を参照し、最寄りのアクセスポイントであるフロントノード３０を選択する。フロントノード３０は、使用可能な通信ポート（エンドノード）を確保する。エンドノード４０Ｅ−３は、送信されたフレームデータを接続先のファクシミリ装置１００3 が扱う画像データ形式に変換し、各フレームを組み立てて送信する。エンドノード４０Ｅ−３は送信する伝送路の稼働状況を参照して、使用する伝送路決定し、当該伝送路を用いてデータ送信を行う。
【００２５】
図５は、本発明の一実施例のデータの流れを説明するための図である。まず、ユーザホスト１０にファクシミリ装置１００1 からデータを入力する場合には、ファクシミリ装置１００1 は、最寄りのエンドノード４０に発呼し、アクセスされたエンドノード４０は、ファクシミリ入力制御部４２により送信要求を受け付け、送信依頼情報及び送信データをプレゼンテーション制御部４３、セッション制御部４４、データフロー制御部４５に転送することにより、送信に対応するデータ形式に変換して転送する。エンドノード４０から、当該エンドノードを管理するフロントノード３０に送信し、フロントノード３０からゲートウェイ２０を介してユーザホスト１０に送信される。
【００２６】
ゲートウェイ２０のプレゼンテーション制御部２２は、ユーザホスト１０−ゲートウェイ２０間のプロトコルに合わせてプロトコル変換し、ネットワークに準拠したプロトコル（フレーム）編集及びユーザホスト１０へ送信するためのデータ編集を行う。
【００２７】
ゲートウェイ２０の経路制御部２１は、ネットワーク上のメッセージ受信及び、ネットワークに対してメッセージ送信を行う。
【００２８】
また、ユーザホスト１０からファクシミリ装置１００にデータを出力する場合には、ユーザホスト１０は送信元のファクシミリ装置１００1 から送信された情報依頼情報に基づいてフレームデータを生成し、ゲートウェイ２０において接続先のファクシミリ装置１００のアクセスポイントを地域別に探し、フロントノード３０を介してアクセスポイントであるエンドノード４０にフレームデータを転送する。エンドノード４０のデータフロー制御部４５は、フロントノード３０を介して送信されたフレームデータを１レコード毎に受信メッセージとして振り分け、セッション制御部４４に転送する。セッション制御部４４は、エンドノード４０に接続される伝送路の稼働状況を以下の表１によりチェックして伝送可能な伝送路を選択する。
【００２９】
エントノード４０は、ユーザホスト１０から受信したデータをファクシミリ装置１００に送信できるデータ形式に変換して、フレームを組み立てて、選択された伝送路を介してファクシミリ装置１００に送信する。送信する場合に、エンドノード４０は、伝送路を表１に示す伝送路使用状況テーブルを参照して決定する。表１に“ＢＵＳＹ”と表示されている伝送路は、使用不可を示し、“ＷＡＩＴ”と表示されている伝送路の中より選択する。なお、入出力の伝送路の数は、負荷状態により動的に変更される。表１のテーブルを参照した場合には、ポート２が使用可能なポートとして選択される。
【００３０】
【表１】
0003913791.tif 000002
図６は、本発明の一実施例のノードシステムの構成を示す。
【００３１】
同図に示すエンドノード４０は、ファクシミリ出力制御部４１、ファクシミリ入力制御部４２、プレゼンテーション制御部４３、セッション制御部４４、データフロー制御部４５、イメージＤＢ４６、オーバレイパターン４７より構成される。
【００３２】
データフロー制御部４５は、送信、受信のメッセージを各機能毎に振り分ける。
【００３３】
セッション制御部４４は、ノード配下の伝送路の稼働状態を判断し、使用する伝送路を決定する。また、受け取ったメッセージ（フレーム）を出力制御に移す。
【００３４】
ファクシミリ出力制御部４１は、セッション制御部４４により割り当てられた伝送路を使用し、該当するファクシミリ装置に対してデータの出力を行う。また、ファクシミリ装置１００から出力結果を取得し、データフロー制御部４５に送信メッセージとして送出する。
【００３５】
ファクシミリ入力制御部４２は、割り当てられた伝送路を使用し、該当するファクシミリ装置からデータを入力し、イメージデータをイメージデータベース４６を用いて抽出し、コード変換処理を行い、編集データをデータフロー制御部４５に送信メッセージとして制御を移す。
【００３６】
プレゼンテーション制御部４３は、基本的には、入力媒体に合わせたデータ編集を行い、送信先のデータフォーマットに合わせたデータ形式に変換し、イメージデータを該当するイメージＤＢに格納する。また、その他の入力媒体に合わせたデータ編集を行う。
【００３７】
図７は、本発明の一実施例のエンドノードとファクシミリ装置との入出力を説明するための図である。
【００３８】
エンドノードの出力制御部４１は、データフロー制御部４５、セッション制御部４４、プレゼンテーション制御部４３を介してユーザホスト１０側より送信用のデータが入力されると、
▲１▼データを送信するファクシミリ装置１００3 に対して送信依頼情報により所定の発呼処理を行う。
▲２▼ユーザホスト１０より送信依頼情報により送信依頼されたデータを、指定されたデータ形式に変換してファクシリミリデータとしてファクシミリ装置１００3 に出力する。このとき、予めプリンタファイルＰＲＴＥＤとして用意されている情報を参照して、印刷属性と印刷データを編集して出力するものとする。
▲３▼ファクシミリ装置１００3 への送信が終了したら、送信先のファクシミリ装置１００3 との接続を切断する。
▲４▼ファクシミリ装置１００3 より受信結果を取得し、編集し通信ホスト（図示せず）に結果を送信する。
【００３９】
また、エンドノードの入力制御部４２は、
▲１▼ファクシミリ装置１００1 より着呼すると、送信依頼情報により相手先ファクシミリ装置１００3 に対して所定の着呼処理を行う。
▲２▼入力されたデータについて必要に応じてコード変換・イメージ抽出等を行う。例えば、ＯＣＲ情報が入力された場合には、ＯＣＲ変換用テーブル４７をアクセスして所定のコードに変換する。また、画像データが入力された場合には、イメージデータベース４６を参照して、イメージの抽出を行う。
▲３▼ユーザホスト１０に送出後、ユーザホスト１０から、ゲートウェイ２０、フロントノード３０を介して、入力結果を取得して、編集し、通信ホストに結果を送信する。また、異常時は、結果を相手先のファクシミリ装置に出力する。
▲４▼ファクシミリ装置１００1 との接続を切断する。
【００４０】
図８は、本発明の一実施例のユーザホストに入力するまでの一連の動作を示すフローチャート（その１）である。
【００４１】
ステップ２０１）送信側のファクシミリ装置Ａが網２００を介して最寄りのアクセスポイントであるエンドノード４０をアクセスする。
【００４２】
ステップ２０２）このとき、アクセスしたエンドノード４０がビジーである場合には、他のエンドノードを選択してアクセスする。
【００４３】
ステップ２０３）ファクシミリ装置Ａから送信されたデータは、エンドノード４０のファクシミリ入力制御部４２に転送する。
【００４４】
ステップ２０４）エンドノード４０のファクシミリ入力制御部４２は、ファクシミリ装置Ａからの送信データをイメージデータベース４６を参照してイメージ抽出を行う。または、ファクシミリ装置ＡからＯＣＲ入力されたデータについては、ＯＣＲコード変換テーブル４８を参照してユーザホスト１０に送信できるコード形式に変換して、フロントノード３０に転送する。
【００４５】
ステップ２０５）フロントノード３０は、送信データを伝送するゲートウェイ２０への転送ルート上のデータの制御を行い、送信データをゲートウェイ２０に転送する。
【００４６】
ステップ２０６）ゲートウェイ２０は、このままデータをユーザホスト１０に転送する。
【００４７】
ステップ２０７）ここで、ユーザホスト１０への入力結果を取得し、正常に入力されている場合には、入力処理を終了し、異常が発生している場合には、送信元のファクシミリ装置Ａに対してエラーがある旨を通知する。
【００４８】
上記のデータ入力は、ゲートウェイ２０に蓄積せずに、ゲートウェイ２０よりユーザホスト１０にリアルに転送するケースを説明したが、以下では、ゲートウェイ２０が有する蓄積ファイル２２１に送信データを蓄積してからユーザホスト１０に転送するケースを説明する。
【００４９】
図９は、本発明の一実施例のユーザホストに入力するまでの一連の動作を示すフローチャート（その２）である。
【００５０】
ステップ３０１〜ステップ３０５は、上記図８のステップ２０１〜ステップ２０５と同様の処理を行うため説明は省略する。
【００５１】
ステップ３０６）ゲートウェイ２０のプレゼンテーション制御部２２の蓄積ファイル２２１にエンドノードのセッション制御部４４より、フロントノード３０を介して送信データを蓄積する。
【００５２】
ステップ３０７）ゲートウェイ２０は、ファクシミリ装置Ａから全ての送信データが蓄積ファイル２２１に蓄積されたら、ファイル単位にユーザホスト１０に転送する。
【００５３】
ステップ３０８は、ステップ２０７と同様の処理を行う。
【００５４】
次に、ファクシミリ装置Ａから受信したユーザホスト１０からファクシミリ装置Ｂにデータを出力する場合のケースを説明する。
【００５５】
図１０は、本発明の一実施例のユーザホストからファクシミリ装置に出力するまでの一連の動作を示すフローチャートである。
【００５６】
ステップ４０１）上記の図８または図９に示すファクシミリ装置Ａからの入力処理が終了しているかを判定し、終了していない場合には、上記の送信データの入力処理を行う。
【００５７】
ステップ４０２）ユーザホスト１０は、ファクシミリ装置Ａから受信した送信データについて１レコードずつフレームデータを生成する。例えば、送信先識別番号レコード、コードデータレコード、イメージデータレコード、グラフデータレコード等、送信を依頼されている情報に基づいて種々作成する。
【００５８】
ステップ４０３）ステップ４０２において、作成されたデータをゲートウェイ２０に転送する。
【００５９】
ステップ４０４）ゲートウェイ２０は、ユーザホスト１０から転送された１レコードのデータを参照して、蓄積ファイル２２１に蓄積するか否かを判定し、蓄積する場合にはステップ４１１に移行する。
【００６０】
ステップ４０５）ゲートウェイ２０において、蓄積ファイル２２１に蓄積せずにリアルに転送する場合には、フロントノード３０を選択し、データを転送する。
【００６１】
ステップ４０６）フロントノード３０は、送信先のファクシミリ装置Ｂに接続可能なエンドノード４０を送信先の地域等により選択し、１レコードまたは、１ファイル分のデータを送信する。
【００６２】
ステップ４０７）エンドノード４０は、セッション制御部４４において、伝送路を伝送路使用状況テーブルにより伝送路を検索し、検索結果に基づいて伝送路を設定する。さらに、プレゼンテーション制御部４３において、１レコードの変換条件に基づいてデータを種々編集する。
【００６３】
例えば、標準編集が条件に指定されている場合には、オーバレイパターンを用いて指定されている該当フォームのデータに変換し、また、イメージ編集が条件に指定されている場合には、イメージデータベース４６よりイメージを参照して、画像データに変換する。
【００６４】
ステップ４０８）エンドノード４０は、ファクシミリ出力制御部４１を介してファクシミリ装置Ｂにデータを送信する。
【００６５】
ステップ４０９）エンドノード４０は、ファクシミリ装置Ｂに送信した送信結果を取得する。
【００６６】
ステップ４１０）取得した送信結果が正常か否かを判定し、ファクシミリ装置Ｂに受信異常が発生している場合には、ユーザホスト１０を介して送信元のファクシミリ装置Ａに対して受信異常を通知する。正常に受信されている場合には、処理を終了する。
【００６７】
ステップ４１１）ステップ４０４において、ゲートウェイ２０の送受信ファイル２２１に蓄積してから転送する場合には、送受信ファイル２２１にユーザホスト１０から転送されるデータを１レコードずつ入力して蓄積する。
【００６８】
ステップ４１２）ゲートウェイ２０は、全データが転送済みであるかを判定し、残りのデータが転送されていない場合には、ステップ４１１の処理を全データ分繰り返す。
【００６９】
ステップ４１３）ゲートウェイ２０は、フロントノード３０を選択して送受信ファイル２２１のデータを一括して選択し、ステップ４０６に移行する。
【００７０】
なお、上記の処理において、ユーザホスト１０に対してデータ送信元のファクシミリ装置Ａから識別番号等の照会であった場合には、ユーザホスト１０は、自身が有するデータベースを参照してデータを必要とするレコード数分生成し、ゲートウェイ２０に転送する。ゲートウェイ２０は、蓄積の有無を選択しデータ受信時にアクセスされたフロントノード３０を指定して転送する。以下、フロントノード３０からエンドノード及びファクシミリ装置Ａにメッセージが返却される。
【００７１】
上述のように、本実施例において、従来のように、ゲートウェイ２０でデータ変換等の編集処理を行わずに、分散されたエンドノードにおいて送信先で扱うデータ形式に変換するために、ゲートウェイ２０の処理が分散されるのみならず、ユーザホスト１０とファクシミリ装置１００間のデータ形式、フォーマットや通信プロトコル等を限定しなくともよい。
【００７２】
さらに、広域ネットワークを構成するシステムでは、エンドノード等の各アクセスポイント毎に処理を行うことにより、ネットワーク側での処理負荷が軽減し、ユーザホスト側での処理時間が短縮される。
【００７３】
なお、本発明は、上記実施例に限定されることなく、特許請求の範囲において種々変更が可能である。
【００７４】
【発明の効果】
上述のように本発明によれば、ホストコンピュータからの送信データをゲートウェイでデータ編集処理を行わず、アクセスポイントであるエンドノードで行うため送信先のデータ形式を意識しないで送信することができる。また、各アクセスポイントのエンドノードでデータ編集処理を行い、編集後のデータがホストコンピュータに送信されるため、ホストコンピュータでは、ファクシミリ装置からのデータであることを意識ぜずに、処理を実行することができる。
【００７５】
また、本発明によれば、広域ネットワークにおいて、各アクセスポイントに処理を分散することにより、ホストコンピュータ側では、ファクシミリから入力される大量データを短時間で処理することが可能となる。
【図面の簡単な説明】
【図１】本発明の一実施例のシステム構成図である。
【図２】本発明の一実施例の処理の概要を示すシーケンスチャートである。
【図３】本発明の一実施例の送信データの構成図である。
【図４】本発明の一実施例のユーザホストから接続先のファクシミリ装置へデータ送信を行う動作の概要を示すシーケンスチャートである。
【図５】本発明の一実施例のデータの流れを説明するための図である。
【図６】本発明の一実施例のエンドノードの構成図である。
【図７】本発明の一実施例のエンドノードとファクシミリ装置との入出力を説明するための図である。
【図８】本発明の一実施例のユーザホストに入力するまでの一連の動作を示すフローチャート（その１）である。
【図９】本発明の一実施例のユーザホストに入力するまでの一連の動作を示すフローチャート（その２）である。
【図１０】本発明の一実施例のユーザホストからのファクシミリ装置に出力するまでの一連の動作を示すフローチャートである。
【図１１】従来のシステム構成図である。
【図１２】従来のゲートウェイの構成図である。
【符号の説明】
１０  ユーザホスト
２０  ゲートウェイ
２１  経路制御部
２２  プレゼンテーション制御部
２３  ファイル送受信部
２４  データ通信部
３０  フロントノード
４０Ｅ、４１Ｅ、４２Ｅ  エンドノード
４１  ファクシミリ出力制御部
４２  ファクシミリ入力制御部
４３  プレゼンテーション制御部
４４  セッション制御部
４５  データフロー制御部
４６  イメージデータベース
４７  オーバレイパターン
４８  ＯＣＲコード変換テーブル
９０  送信依頼情報
９１  宛先識別番号
９２  送信元識別番号
９３  返信有無情報
９４  画像データ
２２１  蓄積ファイル
１００  ファクシミリ装置
３００  ノードシステム
４１０  バッファ
４２０  データ変換部
４３０  データ変換テーブル
【図１】
0003913791.tif 000003
【図２】
0003913791.tif 000004
【図３】
0003913791.tif 000005
【図４】
0003913791.tif 000006
【図５】
0003913791.tif 000007
【図６】
0003913791.tif 000008
【図７】
0003913791.tif 000009
【図８】
0003913791.tif 000010
【図９】
0003913791.tif 000011
【図１０】
0003913791.tif 000012
【図１１】
0003913791.tif 000013
【図１２】
0003913791.tif 000014